(57)【特許請求の範囲】
【請求項１】
過電流発生時に遮断動作する過電流引き外し装置をテスト動作させるためのトリップボタンを有する回路遮断器において、その操作ハンドルをオン或いはオフ位置で固定するハンドルロック装置であって、
遮断器ケース上面に設けられた操作ハンドルの回動方向となる前後面の双方に形成した一対の嵌合凹部と、前記嵌合凹部に挿入して操作ハンドルをロックするロック部材とから成り、
一方の第１嵌合凹部を操作ハンドルオフ位置で露出する部位に形成すると共に、他方の第２嵌合凹部を操作ハンドルオン位置で露出する部位に形成し、前記トリップボタンを前記第２嵌合凹部近傍の遮断器ケース上面に配置して成り、
前記第２嵌合凹部に前記ロック部材を挿入してオン状態をロックした際、前記ロック部材は前記トリップボタンを覆うことを特徴とする回路遮断器のハンドルロック装置。
【請求項２】
漏電検出回路を備え、前記漏電検出回路の動作をテストするためのテストボタンを有する回路遮断器において、その操作ハンドルをオン或いはオフ位置で固定するハンドルロック装置であって、
遮断器ケース上面に設けられた操作ハンドルの回動方向となる前後面の双方に形成した一対の嵌合凹部と、前記嵌合凹部に挿入して操作ハンドルをロックするロック部材とから成り、
一方の第１嵌合凹部を操作ハンドルオフ位置で露出する部位に形成すると共に、他方の第２嵌合凹部を操作ハンドルオン位置で露出する部位に形成し、前記テストボタンを前記第２嵌合凹部の近傍の遮断器ケース上面に配置して成り、
前記第２嵌合凹部に前記ロック部材を挿入してオン状態をロックした際、前記ロック部材は前記テストボタンを覆うことを特徴とする回路遮断器のハンドルロック装置。
【請求項３】
嵌合凹部内に、ロック部材の前記嵌合凹部に挿入する挿入片を係止する係止手段を備えた請求項１又は２記載の回路遮断器のハンドルロック装置。
【請求項４】
嵌合凹部は、操作ハンドルの側面を切り欠いて形成した嵌合溝である請求項１乃至３の何れかに記載の回路遮断器のハンドルロック装置。
【請求項５】
双方の嵌合凹部は、露出した際に遮断器ケース上面に平行に配置され、ロック部材は遮断器ケース上面でスライド操作することで前記嵌合凹部に挿入される請求項１乃至４の何れかに記載の回路遮断器のハンドルロック装置。
【発明の詳細な説明】
【技術分野】
【０００１】
本発明は、遮断器出力をオン／オフ操作する操作ハンドルをロックする回路遮断器のハンドルロック装置に関し、特に過電流引き外し装置をテスト動作させるトリップボタンや、漏電検出回路をテストするテストボタンを備えた回路遮断器のハンドルロック装置に関する。
【背景技術】
【０００２】
回路遮断器には、内部に組み込まれている過電流引き外し装置が正常に動作するかテストするためのトリップボタンを備えたものがある（例えば、特許文献１参照）。また、漏電遮断機構を備えた回路遮断器には、漏電検出回路が正常に動作するかテストするためのテストボタンが設けられている（例えば、特許文献２参照）。
【０００３】
一方で、回路遮断器の操作ハンドルは、非常灯等の常時オン状態を保つ必要がある負荷が接続されている場合や、特定の条件の下でしかオン操作できない負荷が接続されている場合は、間違ってオフ操作或いはオン操作される事がないように、ロック装置によりオン状態或いはオフ状態でロックできるよう構成されたものがある。例えば、特許文献３では、操作ハンドルを覆うキャップを装着してロックする構造となっている。
また、回路遮断器は小型化される傾向にあり、操作ハンドルに関しても、回動操作して出力オンの状態にした際に、遮断器ケース上面に操作ハンドルが平行になるよう傾倒され、遮断器ケース上面から突出する部位がなくなるフラットタイプの操作ハンドルを設けたものがある。このようなフラットタイプの操作ハンドルをロックするロック装置としては、特許文献４に記載された構造のものがある。これは、遮断器ケース上面の操作ハンドルの回動方向となる部位に嵌合溝を設け、その溝にロック部材を嵌合させて操作ハンドルをロックさせている。
【０００４】
【特許文献１】特開２００２−９３２９９号公報
【特許文献２】特開２００２−７５１６４号公報
【特許文献３】特開２０００−１１８４２号公報
【特許文献４】特開２００１−３０７５７７号公報
【発明の開示】
【発明が解決しようとする課題】
【０００５】
しかしながら、上記特許文献３，４に開示されているロック装置は、何れも操作ハンドルをロックすることはできるが、トリップボタンやテストボタンが設けられている構成に適用した場合、出力オン状態でロックしても、トリップボタンやテストボタンが操作されたら、遮断動作して出力がオフとなってしまう。そうなるとロック装置を装着した意味がなくなってしまう。
そこで、本発明はこのような問題点に鑑み、出力オン状態で操作ハンドルをロックした場合、トリップボタンやテストボタンも操作できなくなる回路遮断器を提供することを目的とする。
【課題を解決するための手段】
【０００６】
上記課題を解決する為に、請求項１の発明は、過電流発生時に遮断動作する過電流引き外し装置をテスト動作させるためのトリップボタンを有する回路遮断器において、その操作ハンドルをオン或いはオフ位置で固定するハンドルロック装置であって、遮断器ケース上面に設けられた操作ハンドルの回動方向となる前後面の双方に形成した一対の嵌合凹部と、前記嵌合凹部に挿入して操作ハンドルをロックするロック部材とから成り、一方の第１嵌合凹部を操作ハンドルオフ位置で露出する部位に形成すると共に、他方の第２嵌合凹部を操作ハンドルオン位置で露出する部位に形成し、前記トリップボタンを前記第２嵌合凹部近傍の遮断器ケース上面に配置して成り、前記第２嵌合凹部に前記ロック部材を挿入してオン状態をロックした際、前記ロック部材は前記トリップボタンを覆うことを特徴とする。
この構成により、出力オン操作時に操作ハンドルにロック部材を挿入することで操作ハンドルをロックできる。そして、ロックした際にトリップボタンが隠れるので、トリップボタンが操作される虞がなくなり、操作ハンドルオフ操作を禁止したにも拘わらず、オフ動作するようなことがない。
【０００７】
請求項２の発明は、漏電検出回路を備え、前記漏電検出回路の動作をテストするためのテストボタンを有する回路遮断器において、その操作ハンドルをオン或いはオフ位置で固定するハンドルロック装置であって、遮断器ケース上面に設けられた操作ハンドルの回動方向となる前後面の双方に形成した一対の嵌合凹部と、前記嵌合凹部に挿入して操作ハンドルをロックするロック部材とから成り、一方の第１嵌合凹部を操作ハンドルオフ位置で露出する部位に形成すると共に、他方の第２嵌合凹部を操作ハンドルオン位置で露出する部位に形成し、前記テストボタンを前記第２嵌合凹部の近傍の遮断器ケース上面に配置して成り、前記第２嵌合凹部に前記ロック部材を挿入してオン状態をロックした際、前記ロック部材は前記テストボタンを覆うことを特徴とする。
この構成により、出力オン操作時に操作ハンドルにロック部材を挿入することで操作ハンドルをロックできる。そして、ロックした場合にテストボタンが隠れるので、テストボタンが操作される虞がなくなり、操作ハンドルオフ操作を禁止したにも拘わらず、オフ動作するようなことがない。
【０００８】
請求項３の発明は、請求項１又は２に記載の発明において、嵌合凹部内に、ロック部材の前記嵌合凹部に挿入する挿入片を係止する係止手段を備えたことを特徴とする。
この構成により、嵌合凹部に挿入したロック部材は係止されるので、装着したロック部材が外れる事がなく、別途抜け止め手段を必要としない。
【０００９】
請求項４の発明は、請求項１乃至３の何れかに記載の発明において、嵌合凹部は、操作ハンドルの側面を切り欠いて形成した嵌合溝であることを特徴とする。
この構成により、操作ハンドルの側面を切り欠くだけなので嵌合凹部や係止手段を容易に作製できる。
【００１０】
請求項５の発明は、請求項１乃至４の何れかに記載の発明において、双方の嵌合凹部は、露出した際に遮断器ケース上面に平行に配置され、ロック部材は遮断器ケース上面でスライド操作することで前記嵌合凹部に挿入されることを特徴とする。
この構成により、ロック部材を遮断器ケース上面に平行にスライド操作することで操作ハンドルに挿入されてロックできるので、回路遮断器の操作ハンドルをオン操作した際に遮断器上面に略平行に傾倒される構成であっても、装着したロック部材が操作ハンドルより突出しないようにでき、分電盤等の寸法をロック部材の装着を考慮して設計する必要がなくなる。また、突出部位を無くすことができるので回路遮断器の小型化に適している。
【発明の効果】
【００１１】
本発明によれば、遮断器出力オン時に操作ハンドルをロックした場合、トリップボタン或いはテストボタンが隠れるので、トリップボタンやテストボタンが操作される虞がなく、操作ハンドルオフ操作を禁止したにも拘わらず、オフ動作するようなことがない。
【発明を実施するための最良の形態】
【００１２】
以下、本発明を具体化した実施の形態を、図面に基づいて詳細に説明する。図１〜図４は本発明に係る回路遮断器のハンドルロック装置の一例を示し、回路遮断器の斜視図を示している。図１は出力オフ状態でロック部材挿入前の状態、図２は出力オフ状態でロックした状態、図３は出力オン状態でロック部材挿入前の状態、図４はオン状態でロックした状態を示している。尚、図１のみ背面方向から見た回路遮断器を示している。
各図において、１は回路遮断器の過電流引き外し装置が組み込まれている遮断器ケース、２は遮断器ケース背面に設けた電源側端子、３はケース前面に設けた負荷側端子、４は遮断器出力をオン／オフ操作する操作ハンドル、５は操作ハンドル４をロックして操作不可とするロック部材である。
【００１３】
この回路遮断器は、単相３線式電路に対応するよう形成され、電源側端子２、負荷側端子３の双方は縦に３端子を配置して構成されている。電源側端子２はプラグイン式で形成され、負荷側端子３は速結端子で形成されており、何れも挿入するだけで連結されるよう構成されている。そして、電源側端子２は上部が中性端子、下部の２端子が電圧端子として配置され、負荷側端子３は中央を中性端子、上下の端子を電圧端子として配置されている。この配置により、負荷側端子３の中央の端子口３ｂと、上側端子口３ａ或いは下側端子口３ｃの一方に電線を接続することで１００Ｖ電圧の出力を得ることができ、上下両端の端子口３ａ，３ｃに電線を接続することで２００Ｖ電圧の出力を得ることができるようになっている。
また、操作ハンドル４は、オフ操作状態では遮断器ケース１から上方に突出した状態にあり、オン操作状態では遮断器ケース１上面に略平行に成る角度まで傾倒される構成となっている。
【００１４】
一方、操作ハンドル４を設けた遮断器ケース１上面には、操作ハンドル４の左右に隣接して操作ハンドル４の操作方向に平行に配置された保護壁７、過電流引き外し装置をテスト動作させるためのトリップボタン８が設けられている。
保護壁７は、オン操作した操作ハンドル４を収容して保護するよう形成され、オン状態の操作ハンドル４と略同一の高さで形成されている。また、この保護壁７は、ロック部材５のスライド操作を案内する案内壁としても使用される。
また、トリップボタン８は、操作ハンドル４前面側の近接した部位に配置され、図示しないコイルバネで上方に付勢され、遮断器ケース１の上面に設けられた操作窓に上端が露出して配置され、ドライバ等による挿入操作でオン操作できるよう構成されている。
【００１５】
上記構成の回路遮断器において、ハンドルロック装置は次のように構成されている。操作ハンドル４の背面には、出力オフ状態をロックするための第１嵌合凹部９ａが凹設されている。この第１嵌合凹部９ａは、オフ状態で遮断器ケース１上面に露出し、且つ露出した状態で遮断器ケース１上面に平行になるよう形成されている。
図５（ａ）は、図２のロック状態の操作ハンドル４近傍を拡大した回路遮断器の縦断面図を示し、第１嵌合凹部９ａは、操作ハンドル４の側面を切り欠いて溝状に形成され、内部下面にはロック部材５を係止するための係止凹部（係止手段）１０が設けられている。
【００１６】
また、操作ハンドル４の前面には、オン状態をロックするための第２嵌合凹部９ｂが凹設されている。この第２嵌合凹部９ｂは、オン状態で遮断器ケース１上面に露出し、且つ露出した状態で遮断器ケース１上面に平行になるよう形成されている。
図５（ｂ）は、図４のロック状態の操作ハンドル４近傍を拡大した回路遮断器の縦断面図を示し、第２嵌合凹部は９ｂは、操作ハンドル４の側面を切り欠いて溝状に形成され、内部上面にはロック部材５を係止するための係止凹部１０が設けられている。尚、第１嵌合凹部９ａ、第２嵌合凹部９ｂを構成する溝は、操作ハンドル４の同一側面に形成されている。
【００１７】
一方、ロック部材５は、四角形板状の摘み部１２と、その端部に突設した嵌合凹部９ａ，９ｂに挿入する挿入片１３とで形成されている。摘み部１２は、左右に形成されている保護壁７の間隔に合わせて形成され、挿入片１３は、嵌合凹部９ａ，９ｂと略同一形状で形成され、係止凹部１０に係止する係止突起５ａが設けられている。
【００１８】
このようにハンドルロック装置を形成することで、出力オフ時のロック操作は、図１に示すように、操作ハンドル４の背面に露出した第１嵌合凹部９ａにロック部材５を挿入操作して実施され、保護壁７，７で囲まれた空間にロック部材５を配置し、スライド操作して挿入片１３を第１嵌合凹部９ａに挿入して嵌合させる。この嵌合操作で係止凹部１０に係止突起５ａが係止される。
また、出力オン時のロック操作は、図３に示すように、前方から操作ハンドル４の前面に露出した第２嵌合凹部９ｂに、ロック部材５を挿入操作して実施され、保護壁７，７で囲まれた空間の前方にロック部材５を配置し、スライド操作して挿入片１３を第２嵌合凹部９ｂに挿入して嵌合させる。この嵌合操作で係止凹部１０に係止突起５ａが係止される。同時に、トリップボタン８の上部がロック部材により閉塞される。
【００１９】
このように、遮断器出力オン時に操作ハンドルをロックした場合、トリップボタンが隠されるので、トリップボタンが操作される虞がなく、操作ハンドルオフ操作を禁止したにも拘わらず、オフ動作するようなことがない。
また、嵌合凹部に挿入したロック部材は係止されるので、装着したロック部材が外れる事がなく、別途抜け止め手段を必要としないし、操作ハンドルの側面を切り欠いて嵌合凹部を形成するので嵌合凹部を容易に作製できる。
更に、遮断器ケース上面に平行な方向のスライド操作でロック操作されるので、回路遮断器の操作ハンドルがオン操作した際に遮断器上面に略平行に傾倒される構成であっても、装着したロック部材が操作ハンドルより突出しないようにでき、分電盤等の寸法をロック部材の装着を考慮して設計する必要がなくなる。また、突出部位を無くすことができるので回路遮断器の小型化に適している。
【００２０】
尚、上記実施形態は、トリップボタン８を備えた回路遮断器について説明したが、漏電遮断機能を備え、その漏電検出回路をテストするテストボタンを備えた回路遮断器の場合にも本願構成を適用することができる。上述したトリップボタン８に代えてテストボタンを設ければハンドルロック操作でロック部材によりテストボタンを隠すことができ、ロック時にテストボタンが操作される虞がなく、操作ハンドルオフ操作を禁止したにも拘わらず、オフ動作するようなことがなくなる。
また、トリップボタン、テストボタンの双方を備えた回路遮断器であっても適用でき、トリップボタンとテストボタンを近接させて配置すると共に、ロック部材５の摘み部１２を双方のボタンを覆う事が可能な大きさとすれば良い。
更に、嵌合凹部９ａ，９ｂを操作ハンドル４の片側に夫々設けているが、操作ハンドル４の左右側面に溝を設けて、操作ハンドル４を挟持するようにロック部材５の挿入片１３を構成しても良い。
また、オン操作時に操作ハンドル４が遮断器ケース１上面に平行に配置される構成を示しているが、オン／オフ操作において、操作ハンドルが前後対称角度で回動操作される形態の回路遮断器に対しても上記ハンドルロック装置は良好に適用できる。
【図面の簡単な説明】
【００２１】
【図１】本発明に係る回路遮断器の斜視図であり、オフ操作状態で操作ハンドルロック前の状態を示している。
【図２】図１の操作ハンドルロック後の状態を示す斜視図である。
【図３】図１の回路遮断器をオン操作し、操作ハンドルロック前を示す斜視図である。
【図４】図３の操作ハンドルロック後の状態を示す斜視図である。
【図５】操作ハンドル近傍を拡大した回路遮断器の縦断面図を示し、（ａ）は図２の状態、（ｂ）は図４の状態である。
【符号の説明】
【００２２】
１・・遮断器ケース、４・・操作ハンドル、５・・ロック部材、７・・保護壁（案内壁）、８・・トリップボタン、９ａ，９ｂ・・嵌合凹部、１０・・係止凹部（係止手段）、１２・・摘み部、１３・・挿入片。
【図１】
0004774326.tif 000002
【図２】
0004774326.tif 000003
【図３】
0004774326.tif 000004
【図４】
0004774326.tif 000005
【図５】
0004774326.tif 000006